【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
複数種類の表示を実行可能な表示手段と、
第一の位置から第二の位置に移動可能な可動手段と、
を備えた遊技台であって、
前記表示手段は、画像表示手段であり、
前記可動手段は、演出用の可動手段であり、
前記複数種類の表示のうちの一の表示は、皿満タンエラー表示（以下、「第一の表示」という。）であり、
前記第二の位置は、前記可動手段が前記表示手段の前方に位置する位置であり、
前記第二の位置は、前記可動手段が前記第一の表示の少なくとも一部とオーバーラップする位置である、
ことを特徴とする遊技台。
【請求項２】
請求項１に記載の遊技台であって、
遊技球を貯留可能な貯留皿を備え、
前記第一の表示は、前記貯留皿から遊技球を排出することを促す表示である、
ことを特徴とする遊技台。
【請求項３】
請求項１または２に記載の遊技台であって、
前記第一の位置は、前記可動手段が前記第一の表示とオーバーラップしない位置である、
ことを特徴とする遊技台。
【請求項４】
請求項１乃至３のいずれか一項に記載の遊技台であって、
前記第一の位置は、前記可動手段が前記表示手段の前方に位置する位置である、
ことを特徴とする遊技台。
【請求項５】
請求項１乃至４のいずれか一項に記載の遊技台であって、
前記可動手段が前記第二の位置に位置する場合の方が、該可動手段が前記第一の位置に位置する場合よりも、前記第一の表示の視認性が低い、
ことを特徴とする遊技台。
【請求項６】
請求項１乃至５のいずれか一項に記載の遊技台であって、
前記可動手段は、前記第二の位置から前記第一の位置に移動可能な手段である、
ことを特徴とする遊技台。
【請求項７】
請求項１乃至６のいずれか一項に記載の遊技台であって、
前記可動手段は、前記第一の位置から前記第二の位置を経て第三の位置に移動可能な手段である、
ことを特徴とする遊技台。
【請求項８】
請求項７に記載の遊技台であって、
前記第三の位置は、前記可動手段が前記表示手段の前方に位置する位置であり、
前記第三の位置は、前記可動手段が前記第一の表示の少なくとも一部とオーバーラップする位置である、
ことを特徴とする遊技台。
【請求項９】
請求項７に記載の遊技台であって、
前記第三の位置は、前記可動手段が前記表示手段の前方に位置する位置であり、
前記第三の位置は、前記可動手段が前記第一の表示とオーバーラップしない位置である、
ことを特徴とする遊技台。
【請求項１０】
請求項１乃至９のいずれか一項に記載の遊技台であって、
前記可動手段は、前記表示手段の前方を移動可能に設けられた手段である、
ことを特徴とする遊技台。
【請求項１１】
請求項１乃至１０のいずれか一項に記載の遊技台であって、
前記可動手段は、前記第一の表示が表示されている場合であっても、前記第二の位置に移動可能な手段である、
ことを特徴とする遊技台。
【請求項１２】
請求項１乃至１１のいずれか一項に記載の遊技台であって、
前記可動手段は、前記第一の表示が表示されていない場合であっても、前記第二の位置に移動可能な手段である、
ことを特徴とする遊技台。
【請求項１３】
請求項１乃至１２のいずれか一項に記載の遊技台であって、
前記第一の表示は、複数種類のエラーのうちの一のエラーに対応する表示である、
ことを特徴とする遊技台。
【請求項１４】
請求項１乃至１３のいずれか一項に記載の遊技台であって、
前記複数種類の表示のうちの一の表示は、演出表示（以下、「第二の表示」という。）である、
ことを特徴とする遊技台。
【請求項１５】
請求項１４に記載の遊技台であって、
前記第二の表示は、保留アイコンの表示である、
ことを特徴とする遊技台。
【請求項１６】
請求項１乃至１５のいずれか一項に記載の遊技台であって、
前記遊技台は、ぱちんこ機である、
ことを特徴とする遊技台。
【手続補正２】
【補正対象書類名】明細書
【補正対象項目名】０００６
【補正方法】変更
【補正の内容】
【０００６】
上記目的は、
複数種類の表示を実行可能な表示手段と、
第一の位置から第二の位置に移動可能な可動手段と、
を備えた遊技台であって、
前記表示手段は、画像表示手段であり、
前記可動手段は、演出用の可動手段であり、
前記複数種類の表示のうちの一の表示は、皿満タンエラー表示（以下、「第一の表示」という。）であり、
前記第二の位置は、前記可動手段が前記表示手段の前方に位置する位置であり、
前記第二の位置は、前記可動手段が前記第一の表示の少なくとも一部とオーバーラップする位置である、
ことを特徴とする遊技台
によって達成される。
【手続補正３】
【補正対象書類名】明細書
【補正対象項目名】０４２３
【補正方法】変更
【補正の内容】
【０４２３】
この構成によれば、第一の状態である場合に、第一の表示の前側に第二の表示を表示することで、第二の表示を遊技者に注目させやすくすることができる場合がある。また、第一の状態である場合に、第一の表示を第二の表示の後側に表示することにより、第一の表示を遊技者に注意深く見させることができる場合がある。
（Ａ１）本実施の形態による遊技台は、
複数種類の表示を実行可能な表示手段（例えば、装飾図柄表示装置２０８）と、
第一の位置（例えば、図２８（ａ）に示す演出可動体８０６の初期位置、図２８（ｅ）に示す演出可動体８０６の位置、１７（ｂ）に示す遮蔽手段の位置）から第二の位置（例えば、図２８（ｆ）に示す演出可動体８０６の位置、演出可動体８０６の一部が保留アイコン表示領域７１０の一部と重なる位置、図１７（ｃ）に示す遮蔽手段の位置）に移動可能な可動手段（例えば、図２８〜図３０に示す演出可動体８０６、図１７〜図１９に示す遮蔽手段）と、
を備えた遊技台であって、
前記表示手段は、画像表示手段であり、
前記可動手段は、演出用の可動手段であり、
前記複数種類の表示のうちの一の表示は、皿満タンエラー表示（例えば、図２８〜図３０に示す下皿満タンエラー表示７０３）（以下、「第一の表示」という。）であり、
前記第二の位置は、前記可動手段が前記表示手段の前方に位置する位置であり（例えば、図２８（ｆ）、１７（ｃ）参照）、
前記第二の位置は、前記可動手段が前記第一の表示の少なくとも一部とオーバーラップする位置である（例えば、図２８（ｆ）、１７（ｃ）参照）、
ことを特徴とする遊技台。
（Ａ２）
（Ａ１）に記載の遊技台であって、
遊技球を貯留可能な貯留皿（例えば、下皿１２８）を備え、
前記第一の表示は、前記貯留皿から遊技球を排出することを促す表示（例えば、遊技者に球排出レバー１３２の操作を要求する操作要求報知）である、
ことを特徴とする遊技台。
（Ａ３）
（Ａ１）または（Ａ２）に記載の遊技台であって、
前記第一の位置（例えば、図２８（ａ）に示す演出可動体８０６の初期位置、図１７（ｂ）に示す遮蔽手段の位置）は、前記可動手段が前記第一の表示とオーバーラップしない位置である、
ことを特徴とする遊技台。
（Ａ４）
（Ａ１）乃至（Ａ３）のいずれか一項に記載の遊技台であって、
前記第一の位置は、前記可動手段が前記表示手段の前方に位置する位置である（例えば、図２８、図１７参照）、
ことを特徴とする遊技台。
（Ａ５）
（Ａ１）乃至（Ａ４）のいずれか一項に記載の遊技台であって、
前記可動手段が前記第二の位置に位置する場合（例えば、演出可動体が図２８（ｆ）に示す位置に位置する場合、演出可動体８０６の一部が保留アイコン表示領域７１０の一部と重なる位置に位置する場合、遮蔽手段が図１７（ｃ）に示す位置に位置する場合）の方が、該可動手段が前記第一の位置に位置する場合（例えば、演出可動体が図２８（ａ）に示す初期位置に位置する場合、演出可動体８０６が図２８（ｅ）に示す位置に位置する場合、遮蔽手段が図１７（ｂ）に示す位置に位置する場合）よりも、前記第一の表示の視認性が低い、
ことを特徴とする遊技台。
（Ａ６）
（Ａ１）乃至（Ａ５）のいずれか一項に記載の遊技台であって、
前記可動手段は、前記第二の位置から前記第一の位置に移動可能な手段である（例えば、図２９〜図３０、図１７〜図１９参照）、
ことを特徴とする遊技台。
（Ａ７）
（Ａ１）乃至（Ａ６）のいずれか一項に記載の遊技台であって、
前記可動手段は、前記第一の位置から前記第二の位置を経て第三の位置（例えば、図２９（ａ）に示す演出可動体８０６の移動完了位置、図１７（ｈ）に示す遮蔽手段の位置）に移動可能な手段である、
ことを特徴とする遊技台。
（Ａ８）
（Ａ７）に記載の遊技台であって、
前記第三の位置（例えば、図２９（ａ）に示す演出可動体８０６の移動完了位置）は、前記可動手段が前記表示手段の前方に位置する位置であり、
前記第三の位置は、前記可動手段が前記第一の表示の少なくとも一部とオーバーラップする位置である（例えば、図２９（ａ）参照）、
ことを特徴とする遊技台。
（Ａ９）
（Ａ７）に記載の遊技台であって、
前記第三の位置（例えば、図１７（ｈ）に示す遮蔽手段の位置）は、前記可動手段が前記表示手段の前方に位置する位置であり、
前記第三の位置は、前記可動手段が前記第一の表示とオーバーラップしない位置である（例えば、図１７（ｈ）参照）、
ことを特徴とする遊技台。
（Ａ１０）
（Ａ１）乃至（Ａ９）のいずれか一項に記載の遊技台であって、
前記可動手段は、前記表示手段の前方を移動可能に設けられた手段である（例えば、図２８〜図３０、図１７〜１９参照）、
ことを特徴とする遊技台。
（Ａ１１）
（Ａ１）乃至（Ａ１０）のいずれか一項に記載の遊技台であって、
前記可動手段は、前記第一の表示が表示されている場合であっても、前記第二の位置に移動可能な手段である（例えば、図２８（ｆ）、図１７（ｃ）参照）、
ことを特徴とする遊技台。
（Ａ１２）
（Ａ１）乃至（Ａ１１）のいずれか一項に記載の遊技台であって、
前記可動手段は、前記第一の表示が表示されていない場合であっても、前記第二の位置に移動可能な手段である、
ことを特徴とする遊技台。
（Ａ１３）
（Ａ１）乃至（Ａ１２）のいずれか一項に記載の遊技台であって、
前記第一の表示は、複数種類のエラー（例えば、前面枠扉開放エラー、下皿満タンエラー、電波センサエラー、磁気センサエラー、球不足エラー）のうちの一のエラー（例えば、下皿満タンエラー）に対応する表示である、
ことを特徴とする遊技台。
（Ａ１４）
（Ａ１）乃至（Ａ１３）のいずれか一項に記載の遊技台であって、
前記複数種類の表示のうちの一の表示は、演出表示（例えば、保留アイコンの表示、キャラクタ画像の表示）（以下、「第二の表示」という。）である、
ことを特徴とする遊技台。
（Ａ１５）
（Ａ１４）に記載の遊技台であって、
前記第二の表示は、保留アイコンの表示である、
ことを特徴とする遊技台。
（Ａ１６）
（Ａ１）乃至（Ａ１５）のいずれか一項に記載の遊技台であって、
前記遊技台は、ぱちんこ機（例えば、パチンコ機１００）である、
ことを特徴とする遊技台。
【手続補正４】
【補正対象書類名】明細書
【補正対象項目名】０５９２
【補正方法】変更
【補正の内容】
【０５９２】
上記実施の形態による遊技台は、例えば以下のように表現される。
（付記２−１）
第一の表示手段と、
第二の表示手段と、
を備えた遊技台であって、
前記第一の表示手段は、第一の表示を少なくとも表示可能なものであり、
前記第二の表示手段は、第二の表示を少なくとも表示可能なものであり、
前記第一の表示の少なくとも一部は、前記第二の表示手段が第一の状態である場合に、視認性が少なくとも低いものであり、
前記第一の状態とは、前記第二の表示手段に前記第二の表示が少なくとも表示されている状態のことである、
ことを特徴とする遊技台。
（付記２−２）
付記２−１に記載の遊技台であって、
前記第一の表示とは、遊技に関する表示のことであり、
前記第二の表示とは、演出表示のことである、
ことを特徴とする遊技台。
（付記２−３）
付記２−１または２−２に記載の遊技台であって、
前記第一の表示の少なくとも一部は、前記第二の表示手段が第二の状態である場合に、前記第一の状態よりも視認性が少なくとも高くなるものであり、
前記第二の状態とは、前記第二の表示が前記第二の表示手段に少なくとも表示されていない状態のことである、
ことを特徴とする遊技台。
（付記２−４）
付記２−１乃至２−３のいずれか一項に記載の遊技台であって、
第一の領域は、前記第一の状態において、第二の領域と少なくとも重なる位置に、少なくとも設けられたものであり、
前記第一の領域とは、前記第一の表示手段の少なくとも一部のことであり、
前記第二の領域とは、前記第二の表示手段の少なくとも一部のことである、
ことを特徴とする遊技台。
（付記２−５）
付記２−１乃至２−４のいずれか一項に記載の遊技台であって、
前記第一の表示とは、エラー表示のことである、
ことを特徴とする遊技台。
（付記２−６）
付記２−１乃至２−５のいずれか一項に記載の遊技台であって、
前記第二の表示手段は、前記第一の表示手段よりも前側に少なくとも設けられたものであり、
前記第二の表示は、前記第一の表示よりも前側に少なくとも表示されたものである、ことを特徴とする遊技台。
（付記２−７）
付記２−１乃至２−６のいずれか一項に記載の遊技台であって、
前記第一の表示手段は、第一の表示領域が少なくとも設けられたものであり、
前記第二の表示手段は、第二の表示領域が少なくとも設けられたものであり、
前記第一の表示領域は、前記第一の表示を少なくとも表示可能なものであり、
前記第二の表示領域は、前記第二の表示を少なくとも表示可能なものであり、
第三の表示領域は、前記第一の状態において、第四の表示領域と重なる位置に少なくとも設けられたものであり、
前記第三の表示領域とは、前記第一の表示領域の少なくとも一部のことであり、
前記第四の表示領域とは、前記第二の表示領域の少なくとも一部のことである、
ことを特徴とする遊技台。
（付記２−８）
付記２−１乃至２−７のいずれか一項に記載の遊技台であって、
前記第一の表示は、前記第二の表示よりも遊技者にとって重要度の高い情報を少なくとも含むものである、
ことを特徴とする遊技台。
（付記２−９）
付記２−１乃至２−８のいずれか一項に記載の遊技台であって、
遊技者が操作可能な位置に少なくとも設けられた操作手段を備え、
前記第一の表示は、遊技者に対して、前記操作手段の操作を促す報知を少なくとも含むものである、
ことを特徴とする遊技台。
（付記２−１０）
複数種類の表示を実行可能な表示手段と、
第一の位置から第二の位置に移動可能な可動手段と、
を備えた遊技台であって、
前記表示手段は、画像表示手段であり、
前記可動手段は、演出用の可動手段であり、
前記複数種類の表示のうちの一の表示は、皿満タンエラー表示（以下、「第一の表示」という。）であり、
前記第二の位置は、前記可動手段が前記表示手段の前方に位置する位置であり、
前記第二の位置は、前記可動手段が前記第一の表示の少なくとも一部とオーバーラップする位置である、
ことを特徴とする遊技台。
（付記２−１１）
付記２−１０に記載の遊技台であって、
遊技球を貯留可能な貯留皿を備え、
前記第一の表示は、前記貯留皿から遊技球を排出することを促す表示である、
ことを特徴とする遊技台。
（付記２−１２）
付記２−１０または２−１１に記載の遊技台であって、
前記第一の位置は、前記可動手段が前記第一の表示とオーバーラップしない位置である、
ことを特徴とする遊技台。
（付記２−１３）
付記２−１０乃至２−１２のいずれか一項に記載の遊技台であって、
前記第一の位置は、前記可動手段が前記表示手段の前方に位置する位置である、
ことを特徴とする遊技台。
（付記２−１４）
付記２−１０乃至２−１３のいずれか一項に記載の遊技台であって、
前記可動手段が前記第二の位置に位置する場合の方が、該可動手段が前記第一の位置に位置する場合よりも、前記第一の表示の視認性が低い、
ことを特徴とする遊技台。
（付記２−１５）
付記２−１０乃至２−１４のいずれか一項に記載の遊技台であって、
前記可動手段は、前記第二の位置から前記第一の位置に移動可能な手段である、
ことを特徴とする遊技台。
（付記２−１６）
付記２−１０乃至２−１５のいずれか一項に記載の遊技台であって、
前記可動手段は、前記第一の位置から前記第二の位置を経て第三の位置に移動可能な手段である、
ことを特徴とする遊技台。
（付記２−１７）
付記２−１６に記載の遊技台であって、
前記第三の位置は、前記可動手段が前記表示手段の前方に位置する位置であり、
前記第三の位置は、前記可動手段が前記第一の表示の少なくとも一部とオーバーラップする位置である、
ことを特徴とする遊技台。
（付記２−１８）
付記２−１６に記載の遊技台であって、
前記第三の位置は、前記可動手段が前記表示手段の前方に位置する位置であり、
前記第三の位置は、前記可動手段が前記第一の表示とオーバーラップしない位置である、
ことを特徴とする遊技台。
（付記２−１９）
付記２−１０乃至２−１８のいずれか一項に記載の遊技台であって、
前記可動手段は、前記表示手段の前方を移動可能に設けられた手段である、
ことを特徴とする遊技台。
（付記２−２０）
付記２−１０乃至２−１９のいずれか一項に記載の遊技台であって、
前記可動手段は、前記第一の表示が表示されている場合であっても、前記第二の位置に移動可能な手段である、
ことを特徴とする遊技台。
（付記２−２１）
付記２−１０乃至２−２０のいずれか一項に記載の遊技台であって、
前記可動手段は、前記第一の表示が表示されていない場合であっても、前記第二の位置に移動可能な手段である、
ことを特徴とする遊技台。
（付記２−２２）
付記２−１０乃至２−２１のいずれか一項に記載の遊技台であって、
前記第一の表示は、複数種類のエラーのうちの一のエラーに対応する表示である、
ことを特徴とする遊技台。
（付記２−２３）
付記２−１０乃至２−２２のいずれか一項に記載の遊技台であって、
前記複数種類の表示のうちの一の表示は、演出表示（以下、「第二の表示」という。）である、
ことを特徴とする遊技台。
（付記２−２４）
付記２−２３に記載の遊技台であって、
前記第二の表示は、保留アイコンの表示である、
ことを特徴とする遊技台。
（付記２−２５）
付記２−１０乃至２−２４のいずれか一項に記載の遊技台であって、
前記遊技台は、ぱちんこ機である、
ことを特徴とする遊技台。